(57)【要約】【課題】系統電源からの電力供給が停止した場合であっても、照明装置としての機能を維持できるようにすることが可能な照明装置、照明システム及び照明装置制御方法を提供することである。【解決手段】照明装置１０は、系統電源からの電力供給の有無を判定する判定部１４ａを具備する。また、実施形態の照明装置１０は、判定部１４ａによって系統電源からの電力供給が無いと判定された場合には、光源の設定情報に基づき蓄電池１３から光源１９Ａ、１９Ｂへ電力を供給するように制御する制御部１４ｂを具備する。【選択図】図２
2014130776.tif 000002
【特許請求の範囲】
【請求項１】
光源と；
この光源を制御する照明回路と；
系統電源からの電力によって充電される蓄電池と；
系統電源から供給される電力を監視し、前記系統電源からの電力供給の有無を判定する判定部と；
前記判定部によって系統電源からの電力供給が無いと判定された場合には、前記光源の設定情報に基づき、蓄電池から前記光源への電力供給を制御する制御部と；
を具備することを特徴とする照明装置。
【請求項２】
前記制御部は、前記判定部によって系統電源からの電力供給が有ると判定された場合には、系統電源から前記照明回路および前記蓄電池へ電力を供給することを特徴とする請求項１に記載の照明装置。
【請求項３】
前記制御部は、前記判定部によって系統電源からの電力供給が無いと判定された場合に、前記蓄電池から前記系統電源へ放電させることを特徴とする請求項１または２に記載の照明装置。
【請求項４】
前記光源の設定情報が、系統電源からの電力供給が無いときに光源を点灯する旨の情報を含む場合には、前記蓄電池から光源へ電力を供給し、系統電源からの電力供給が無いときに光源を点灯しない旨の情報を含む場合には、前記蓄電池から前記系統電源へ放電させることを特徴とする請求項１ないし３のいずれか一に記載の照明装置。
【請求項５】
前記光源は、第１の光源および第２の光源を有し、前記照明回路は前記光源の設定情報に基づき前記第１の光源および前記第２の光源を制御することを特徴とする請求項１ないし４のいずれか一に記載の照明装置。
【請求項６】
請求項１ないし５のいずれか一に記載の照明装置と；
前記照明装置の照明制御を行う管理装置と；
を具備することを特徴とする照明システム。
【請求項７】
前記管理装置は、
非常時に前記光源の設定情報を前記照明装置に送信することを特徴とする請求項６に記載の照明システム。
【請求項８】
系統電源から供給される電力を監視し、前記系統電源からの電力供給の有無を判定する判定ステップと；
前記判定ステップによって系統電源からの電力供給が無いと判定された場合には、光源の設定情報に基づき、蓄電池から光源への電力供給を制御する制御ステップと；
を含んだことを特徴とする照明装置制御方法。
【請求項９】
前記制御ステップは、前記判定ステップによって系統電源からの電力供給が有ると判定された場合には、系統電源から照明回路および蓄電池へ電力を供給することを特徴とする請求項８に記載の照明装置制御方法。
【請求項１０】
前記判定ステップによって系統電源からの電力供給が無いと判定された場合に、前記蓄電池から前記系統電源へ放電させることを特徴とする請求項８または９に記載の照明装置制御方法。
【請求項１１】
非常時に管理装置から光源の設定情報を受信する通信ステップと；
をさらに含んだことを特徴とする請求項８ないし１０のいずれか一に記載の照明装置制御方法。
【発明の詳細な説明】
【技術分野】
【０００１】
本発明の実施形態は、照明装置、照明システム及び照明装置制御方法に関する。
【背景技術】
【０００２】
大震災が発生した直後の停電の際に、公共交通網の信号や街路灯のすべての機能が停止する場合があった。このような場合に、電力復旧が遅い地域では、避難指示の迅速な伝達や避難経路の確保が遅れる可能性がある。
【０００３】
公共道路交通網に設置されている照明装置は、系統電源からの電力供給で動作させているため、系統電源からの供給が停止した時点で機能が停止してしまうという問題がある。
【先行技術文献】
【特許文献】
【０００４】
【特許文献１】特開２００８−２３４９５０号公報
【発明の概要】
【発明が解決しようとする課題】
【０００５】
本発明が解決しようとする課題は、系統電源からの電力供給が停止した場合であっても、照明装置としての機能を維持することが可能な照明装置、照明システム及び照明装置制御方法を提供することである。
【課題を解決するための手段】
【０００６】
実施形態の照明装置は、光源を具備する。実施形態の照明装置は、この光源を制御する照明回路を具備する。実施形態の照明装置は、系統電源からの電力によって充電される蓄電池を具備する。実施形態の照明装置は、系統電源から供給される電力を監視し、系統電源からの電力供給の有無を判定する判定部を具備する。実施形態の照明装置は、判定部によって系統電源からの電力供給が無いと判定された場合には、光源の設定情報に基づき、蓄電池から光源への電力供給を制御する制御部を具備する。
【発明の効果】
【０００７】
実施形態に係る照明装置、照明システム及び照明装置制御方法によれば、系統電源からの電力供給が停止した場合であっても、照明装置としての機能を維持できるようにすることが期待できる。
【図面の簡単な説明】
【０００８】
【図１】図１は、第１の照明システムの一例の概要を示す図である。
【図２】図２は、照明装置の構成の一例を示す図である。
【図３】図３は、通常時における常夜灯への電力供給を説明する図である。
【図４】図４は、系統電源からの給電が停止した場合における避難誘導灯または常夜灯への電力供給を説明する図である。
【図５】図５は、系統電源からの給電が停止した場合であって、避難誘導灯を点灯しない場合における蓄電池の放電を説明する図である。
【図６】図６は、点灯制御部の点灯制御を説明する図である。
【図７】図７は、実施形態に係る照明装置における照明制御処理の流れの一例を示すフローチャートである。
【発明を実施するための形態】
【０００９】
以下で説明する実施形態の照明装置は、光源を具備する。実施形態の照明装置は、この光源を制御する照明回路を具備する。実施形態の照明装置は、系統電源からの電力によって充電される蓄電池を具備する。実施形態の照明装置は、系統電源から供給される電力を監視し、系統電源からの電力供給の有無を判定する判定部を具備する。実施形態の照明装置は、判定部によって系統電源からの電力供給が無いと判定された場合には、光源の設定情報に基づき、蓄電池から光源への電力供給を制御する制御部を具備する。
【００１０】
実施形態に係る照明装置が具備する制御部は、判定部によって系統電源からの電力供給が有ると判定された場合には、系統電源から照明回路および蓄電池へ電力を供給する。
【００１１】
実施形態に係る照明装置が具備する制御部は、判定部によって系統電源からの電力供給が無いと判定された場合に、蓄電池から系統電源へ放電させる。
【００１２】
実施形態に係る照明装置は、光源の設定情報が、系統電源からの電力供給が無いときに光源を点灯する旨の情報を含む場合には、蓄電池から光源へ電力を供給し、系統電源からの電力供給が無いときに光源を点灯しない旨の情報を含む場合には、蓄電池から系統電源へ放電させる。
【００１３】
実施形態に係る照明装置が具備する光源は、第１の光源および第２の光源を有し、照明回路は光源の設定情報に基づき第１の光源および第２の光源を制御する。
【００１４】
実施形態に係る照明システムは、実施形態に係る照明装置を具備する。実施形態に係る照明システムは、照明装置の照明制御を行う管理装置を具備する。
【００１５】
実施形態に係る照明システムの管理装置は、非常時に光源の設定情報を照明装置に送信する。
【００１６】
実施形態に係る照明装置制御方法は、系統電源から供給される電力を監視し、系統電源からの電力供給の有無を判定する判定ステップを含む。実施形態に係る照明装置制御方法は、判定ステップによって系統電源からの電力供給が無いと判定された場合には、光源の設定情報に基づき、蓄電池から光源への電力供給を制御する制御ステップを含む。
【００１７】
実施形態に係る照明装置制御方法は、制御ステップは、判定ステップによって系統電源からの電力供給が有ると判定された場合には、系統電源から照明回路および蓄電池へ電力を供給する。
【００１８】
実施形態に係る照明装置制御方法は、判定ステップによって系統電源からの電力供給が無いと判定された場合に、蓄電池から系統電源へ放電させる。
【００１９】
実施形態に係る照明装置制御方法は、非常時に管理装置から光源の設定情報を受信する通信ステップを含む。
【００２０】
以下に、本発明にかかる照明システムの実施形態を図面に基づいて詳細に説明する。
【００２１】
［照明システム１の構成の一例］
図１は、本発明の１実施形態に係る照明システムの一例の概要を示す図である。図１を参照し、実施形態に係る照明システムの一例につき説明する。図１に示す実施形態に係る照明システム１は、複数の照明装置１０Ａ〜１０Ｅと、管理装置２０と、を備える。管理装置２０は、ネットワーク３０を介して照明装置１０Ａ〜１０Ｅと接続され、各照明装置１０Ａ〜１０Ｅと通信を行うことにより、点灯、消灯、点滅、調光、調色等の動作を制御する。また、管理装置２０は、非常時に光源の設定情報を照明装置１０Ａ〜１０Ｅに送信する。ネットワーク３０は、例えば、電力線搬送通信（ＰＬＣ：Power  Line  Communication）を利用してもよいし、インターネット、ＬＡＮ（Local  Area  Network）、ＷＡＮ（Wide  Area  Network）等、任意のネットワークであってよい。
【００２２】
管理装置２０は、例えば、所定の地域内に配置される複数の照明装置の動作を制御することにより当該照明装置による電力消費を一元的に管理し調整する管理サーバなどである。また、管理装置２０は、地域または都市内の電力消費を一元的に管理するスマートシティに設けられる管理サーバなどであってもよい。また、管理装置２０は、照明装置のみならず、公共空間に設けられ電力の供給を受けて動作する任意の装置も併せて管理する装置であってもよい。また、管理装置２０は、避難経路に応じて、照明装置の避難誘導灯を点灯するか否かを決定し、照明装置の避難誘導灯を点灯するか否かの指示を照明装置に送信する。
【００２３】
照明装置１０Ａ〜１０Ｅは、道路上に任意の間隔をおいて設置され、道路を照明する例えば道路灯であるがこれに限定されない。図１には、５つの照明装置を示すが、これに限定されるものではなく、道路上に任意の数の照明装置が設けられる。
【００２４】
また、各照明装置１０Ａ〜１０Ｅは、夜に道路を照明する第１の光源としての常夜灯と、災害発生時に避難経路へと誘導するための第２の光源としての避難誘導灯と、を備える。また、各照明装置１０Ａ〜１０Ｅは、蓄電池が搭載されている。各照明装置１０Ａ〜１０Ｅは、通常時は、系統電源からの電力供給で動作し、蓄電池を充電する。また、災害発生などにより系統電源からの電力供給が停止した場合には、蓄電池に充電された電力を供給することにより動作する。また、各照明装置は、災害発生などにより系統電源からの電力供給が停止した場合には、通常の道路照明だけでなく、その地域の避難場所への経路となっている照明装置は避難経路であることを示す避難誘導灯を点灯させる。なお、照明装置１０Ａ〜１０Ｅについて、特に区別なく説明する場合には、照明装置１０と記載する。
【００２５】
［照明装置１０の構成の一例］
図２を参照し、照明装置１０の構成について説明する。図２は、照明装置の構成の一例を示す図である。照明装置１０は、通信部１１と、電源部１２と、蓄電池１３と、切替制御部１４と、交直変換部１５と、切替部１６と、照明回路としての点灯制御部１７と、昼夜判別部１８と、常夜灯１９Ａと、避難誘導灯１９Ｂと、を備える。
【００２６】
通信部１１は、管理装置２０から送信される制御信号を受信する。通信部１１は、受信した制御信号を点灯制御部１７に送り、点灯制御部１７に常夜灯１９Ａまたは避難誘導灯１９Ｂの発光態様を調整させる。例えば、点灯制御部１７は、受信した制御信号に基づき、常夜灯１９Ａまたは避難誘導灯１９Ｂを点灯、消灯または点滅させたり、発する光の色調、照度等を変化させたりする。
【００２７】
また、通信部１１は、光源の設定情報を管理装置から受信する。光源の設定情報とは、例えば非常時に光源を点灯すべきか否か、常夜灯１９Ａを消灯し避難誘導灯１９Ｂのみを点灯させるか、常夜灯１９Ａのみを点灯し避難誘導灯１９Ｂを消灯させるか、常夜灯１９Ａおよび避難誘導灯１９Ｂ両方を点灯あるいは消灯させるか、常夜灯１９Ａを通常点灯時よりも出力を下げて点灯させるか等の情報である。例えば、照明装置が避難経路に設置されている場合には、点灯し避難経路ではない場所に設置されている場合には消灯するように設定することができる。
【００２８】
電源部１２は、系統から交流電力の供給を受け、後述する交直変換部１５によって変換された直流電力を常夜灯１９Ａまたは避難誘導灯１９Ｂに対して供給する。蓄電池１３は、系統電源からの電力によって充電される。蓄電池１３は、通常時は電力を蓄積し、災害時や停電時に系統電源からの電力供給が停止した場合には、常夜灯１９Ａまたは避難誘導灯１９Ｂに対して電力を供給する。
【００２９】
切替制御部１４は、電源部１２から供給される電力をモニタし、系統電源から電力が供給されているか否かに応じて、電源接続スイッチ１４ｃの接続または解除を行う。切替制御部１４は、判定部１４ａおよび制御部１４ｂを備える。なお、切替制御部１４は系統電源からの電力が遮断された場合に備えて、蓄電池１３から電源の供給を受けて動作するように構成されている（図示せず）。
【００３０】
判定部１４ａは、系統電源から供給される電力を監視し、系統電源からの電力供給の有無を判定する。例えば、判定部１４は、系統電源から供給される電力の電力量を監視し、電力量が所定の閾値を越えている場合には、系統電源からの電力供給があるものと判定し、電力量が所定の閾値以下となった場合には、系統電源からの電力供給が途絶えたものと判定する。
【００３１】
制御部１４ｂは、判定部１４ａによって系統電源からの電力供給が有ると判定された場合には、系統電源から点灯制御部１７および蓄電池１３へ電力を供給する。制御部１４ｂは、判定部１４ａによって系統電源からの電力供給があると判定された場合には、切替部１６をＨに制御し、すなわち交直変換部１５と点灯制御部１７とを接続し、系統電源からの電力を点灯制御部１７へ供給するとともに、電源接続スイッチ１４ｃを介して系統電源と接続された蓄電池１３へも電力を供給して該蓄電池１３の充電を行う。
【００３２】
また、制御部１４ｂは、判定部１４ａによって系統電源からの電力供給が無いと判定された場合には、常夜灯１９Ａおよび避難誘導灯１９Ｂの設定情報に基づき、蓄電池１３から常夜灯１９Ａまたは避難誘導灯１９Ｂへの電力供給を制御する。例えば、制御部１４ｂは、判定部１４ａによって系統電源からの電力供給が途絶えたと判定された場合には、切替部１６をＬに制御し、すなわち蓄電池１３と点灯制御部１７とを接続し、蓄電池１３から点灯制御部１７へ電力を供給するように制御する。なお、このとき電源接続スイッチ１４ｃは解除しておくことが好ましい。
【００３３】
また、制御部１４ｂは、判定部１４ａによって系統電源からの電力供給が無いと判定された場合に、蓄電池１３から系統電源へ放電させる。例えば、制御部１４ｂは、判定部１４ａによって系統電源から電力の供給が途絶えたと判定された場合であって、且つ、常夜灯１９Ａおよび避難誘導灯１９Ｂを点灯しない場合には、蓄電池１３の電力を放電するように制御する。例えば、制御部１４ｂは、電源接続スイッチ１４ｃを解除するとともに、切替部１６に指示を送りＨＬに制御し、蓄電池１３と交直変換部１５とを接続させる。このとき、点灯制御部１７は、交直変換部１５および蓄電池１３から遮断される。
【００３４】
交直変換部１５は、電源部１２を介して系統電源から供給された交流電力を整流して直流電力に変換し、蓄電池１３および切替部１６に供給する。また、交直変換部１５は、蓄電池１３から供給された直流電力を交流電力に変換し、電源部１２を介して放電する。
【００３５】
切替部１６は、常夜灯１９Ａおよび避難誘導灯１９Ｂを制御する。切替部１６は、切替制御部１４の指示に基づいて、交直変換部１５、蓄電池１３および点灯制御部１７との接続を切り替える。すなわち、切替部１６はＨのときには交直変換部１５と点灯装置１７とを接続するとともに、蓄電池１３と点灯制御部との接続は遮断される。一方、切替部１６がＬのときは蓄電池１３と点灯制御部とが接続されるとともに、交直変換部１５と点灯装置１７との接続は遮断される。また、切替部１６がＨＬのときは蓄電池１３と点灯制御部とが接続されるとともに、点灯制御部１７は、交直変換部１５および蓄電池１３から遮断される。例えば、切替部１６は、系統電源から電力が供給されている通常においては、交直変換部１５と点灯制御部１７とを接続し、系統電源から常夜灯１９Ａまたは避難誘導灯１９Ｂへ電力が供給されるようにする。
【００３６】
図３は、通常時における常夜灯への電力供給を説明する図である。図３に示すように、系統電源から電力が供給されている通常においては、交直変換部１５と点灯制御部１７とを接続し、点灯制御部１７に系統電源からの電力が供給されるようにする。また、図３に示すように、通常時においては、電源接続スイッチ１４ｃがＯＮになっており、系統電源からの電力で蓄電池１３が充電される。このため、通常時においては、災害時に備えて、蓄電池を充電することができる。
【００３７】
また、切替部１６は、系統電源から電力が途絶えた場合においては、交直変換部１５と点灯制御部１７との接続を解除し、蓄電池１３と点灯制御部１７とを接続する。図４は、系統電源からの給電が停止した場合における避難誘導灯または常夜灯への電力供給を説明する図である。図４に示すように、系統電源から電力が途絶えた場合に、切替部１６は、交直変換部１５と点灯制御部１７との接続を解除し、蓄電池１３と点灯制御部１７とを接続することで、蓄電池１３から常夜灯１９Ａまたは避難誘導灯１９Ｂへ電力が供給されるようにする。これにより、系統電源から電力が途絶えた場合においても、蓄電池に充電された電力で、常夜灯１９Ａまたは避難誘導灯１９Ｂを点灯させることができる。
【００３８】
また、切替部１６は、系統電源からの電力供給が途絶え、且つ、常夜灯１９Ａおよび避難誘導灯１９Ｂを点灯しない場合には、交直変換部１５と点灯制御部１７との接続を解除し、蓄電池１３と交直変換部１５とを接続する。図５は、系統電源からの給電が停止した場合であって、避難誘導灯を点灯しない場合における蓄電池の放電を説明する図である。図５に示すように、系統電源からの電力供給が途絶え、且つ、避難誘導灯１９Ｂを点灯しない場合に、切替部１６は、交直変換部１５と点灯制御部１７との接続を解除し、蓄電池１３と交直変換部１５とを接続することで、蓄電池の電力が電源部１２を介して外部に放電させる。これにより、蓄電池に充電された電力を電力が不足している他の照明装置に対して供給することができる。
【００３９】
点灯制御部１７は、光源の設定情報に基づき常夜灯１９Ａおよび避難誘導灯１９Ｂを制御する。点灯制御部１７は、昼夜判別部１８によって昼であると判別された場合には、常夜灯スイッチ１７ａを解除して常夜灯１９Ａを消灯し、昼夜判別部１８によって夜であると判別された場合には、常夜灯スイッチ１７ａを接続して、系統電源からの電力供給または蓄電池１３からの電力供給で常夜灯１９Ａを点灯するように制御する。
【００４０】
また、点灯制御部１７は、系統電源からの電力供給がある場合には、避難誘導灯スイッチ１７ｂを解除して避難誘導灯１９Ｂを消灯し、系統電源からの電力供給が途絶えた場合には、光源の設定情報に基づいて常夜灯１９Ａおよび避難誘導灯１９Ｂを制御する。例えば、避難誘導灯スイッチ１７ｂを接続して、蓄電池１３からの電力供給で避難誘導灯１９Ｂを点灯するように制御する。つまり、光源の設定情報が、系統電源からの電力供給が無いときに光源を点灯する旨の情報を含む場合には、蓄電池１３から光源へ電力を供給する。また、光源の設定情報が、系統電源からの電力供給が無いときに光源を点灯しない旨の情報を含む場合には、蓄電池１３から系統電源へ放電させる。
【００４１】
図６は、切替制御部１４および点灯制御部１７の制御を説明する図である。図６に示すように、切替制御部１４は、系統電力がＯＦＦ、すなわち、系統電源からの電力供給が途絶えた場合には、蓄電池１３への充電がＯＦＦになるため、電源を蓄電池１３に切り替える。この場合に、点灯制御部１７は、昼１である場合には、避難誘導灯１９Ｂを点灯させ、昼２である場合には常夜灯１９Ａおよび避難誘導灯１９ＢをＯＦＦにし、放電をＯＮにする。夜１の場合には、避難誘導灯１９Ｂと常夜灯１９Ａとを両方点灯させる。夜２の場合には避難誘導灯１９Ｂのみを点灯し、夜３の場合には常夜灯１９Ａのみを点灯させる。夜４の場合は、常夜灯１９Ａおよび避難誘導灯１９ＢをＯＦＦにし、放電をＯＮにする。なお、後述するが、常夜灯１９Ａおよび避難誘導灯１９Ｂは、自らが点灯対象であるか否かを判定し、点灯対象であると判定された場合にのみ点灯する。
【００４２】
また、図６に示すように、切替制御部１４は、系統電力がＯＮ、すなわち、系統電源からの電力供給がある場合には、蓄電池１３への充電をＯＮにし、電源を系統電源に切り替える。この場合に、点灯制御部１７は、昼３である場合には、常夜灯１９Ａおよび避難誘導灯１９ＢをＯＦＦ（消灯）させ、夜５の場合には、常夜灯１９Ａを点灯させる。
【００４３】
切替制御部１４は、系統電源からの電力供給が途絶えた場合に、自らの常夜灯１９Ａまたは避難誘導灯１９Ｂが点灯対象であるか否かを判定し点灯対象である場合にのみ点灯制御部１７へ蓄電池１３から電力を供給をするように制御する。つまり、常夜灯１９Ａまたは避難誘導灯１９Ｂは、避難経路へ誘導するための灯りであるため、避難経路外の照明装置１０である場合には、点灯させる必要がないからである。
【００４４】
例えば、切替制御部１４は、系統電源からの電力供給が途絶えた際に、通信部１１によって避難誘導灯を点灯する旨の指示が受信された場合には、点灯制御部１７と蓄電池１３とを接続し、避難誘導灯１９Ｂを点灯しない旨の指示が受信された場合には、点灯制御部１７と蓄電池１３との接続を遮断する。あるいは、避難誘導灯１９ＢをＯＦＦにする場合には避難誘導灯スイッチ１７ｂを解除して避難誘導灯１９Ｂを消灯するように制御してもよい。つまり、例えば、震災があった場合に、周囲の被害状況などに応じて、避難先や避難経路が異なるため、上位の管理装置２０からの指示に従って、避難誘導灯１９Ｂの点灯または消灯を行う。
【００４５】
また、自らの常夜灯１９Ａまたは避難誘導灯１９Ｂが点灯対象であるかは、照明装置１０ごとに予め設定されていてもよい。例えば、点灯制御部１７は、系統電源からの電力供給が途絶えた際に、自らの常夜灯１９Ａまたは避難誘導灯１９Ｂを点灯することを示す情報が予め設定されている場合には、蓄電池１３と点灯制御部１７を接続し、常夜灯スイッチ１７aまたは避難誘導灯スイッチ１７ｂを接続して、常夜灯１９Ａまたは避難誘導灯１９Ｂを点灯するように制御する。また、自らの常夜灯１９Ａおよび避難誘導灯１９Ｂを点灯しないことを示す情報が予め設定されている場合には、蓄電池１３から点灯制御部１７への電源供給を遮断するか、常夜灯スイッチ１７aおよび避難誘導灯スイッチ１７ｂを解除して避難誘導灯１９Ｂを消灯するように制御する。つまり、避難先や避難経路は、自治体や市町村などにより事前に決められていることが多く、常夜灯１９Ａまたは避難誘導灯１９Ｂを点灯するか否かも事前に設定することができる。なお、事前に自らの常夜灯１９Ａまたは避難誘導灯１９Ｂが点灯対象であるかを設定しておき、避難先や避難経路が変更になった場合に、管理装置２０から点灯対象変更の指示を受け付けるようにしてもよい。
【００４６】
昼夜判別部１８は、照度センサなどにより構成され、周囲の明るさの度合いを検出し、検出した明るさの度合いが所定の閾値以上であるか否か判定する。そして、昼夜判別部１８は、判定の結果、明るさの度合いが所定の閾値以上である場合には、昼であると判別し、明るさの度合いが所定の閾値未満である場合には、夜であると判別し、その判別結果を点灯制御部１７に送る。
【００４７】
常夜灯１９Ａは、夜になって暗くなると、道路を照明するための照明装置である。避難誘導灯１９Ｂは、災害などがあった場合に、避難先や避難経路に被災者を誘導するための誘導灯である。ただし、常夜灯１９Ａのみを具備し、常夜灯１９Ａを避難誘導灯１９Ｂとしても利用する態様であってもよい。常夜灯１９Ａおよび避難誘導灯１９Ｂは、ＬＥＤ（Light  Emitting  Diode）や蛍光灯により構成され、点灯制御装置１９の制御によりＯＮ／ＯＦＦ処理や調光処理が行われる。
【００４８】
［照明制御処理の流れの一例］
図７は、実施形態に係る照明装置１０における照明制御処理の流れの一例を示すフローチャートである。図７を参照して、照明装置１０における照明制御処理の流れの一例を説明する。
【００４９】
まず、照明装置１０の昼夜判別部１８は、現在夜であるか否かを判別する（ステップＳ１０１）。この結果、昼夜判別部１８が現在夜ではないと判別した場合には（ステップＳ１０１否定）、判定部１４ａは、系統電源から電源が供給されているかを判定する（ステップＳ１０２）。そして、判定部１４ａが系統電源から電源が供給されていると判定した場合には（ステップＳ１０２肯定）、点灯制御部１７が、常夜灯１９Ａおよび避難誘導灯１９ＢをＯＦＦにし、切替制御部１４が、蓄電池１３の充電をＯＮに制御する（ステップＳ１０３）。
【００５０】
また、判定部１４ａが系統電源から電源が供給されていないと判定した場合には（ステップＳ１０２否定）、点灯制御部１７は、自らの避難誘導灯１９Ｂが点灯対象であるか否かを判定する（ステップＳ１０４）。この結果、点灯制御部１７は、自らの避難誘導灯１９Ｂが点灯対象であると判定した場合には（ステップＳ１０４肯定）、避難誘導灯１９ＢをＯＮにし、切替制御部１４は、蓄電池の充電をＯＦＦに制御する（ステップＳ１０５）。また、点灯制御部１７は、自らの避難誘導灯１９Ｂが点灯対象でないと判定した場合には（ステップＳ１０４否定）、常夜灯１９Ａおよび避難誘導灯１９ＢをＯＦＦにし、切替制御部１４は、蓄電池の放電をＯＮに制御する（ステップＳ１０６）。
【００５１】
また、ステップＳ１０１において、昼夜判別部１８が現在夜であると判別した場合には（ステップＳ１０１肯定）、判定部１４ａは、系統電源から電源が供給されているかを判定する（ステップＳ１０７）。そして、判定部１４ａが系統電源から電源が供給されていると判定した場合には（ステップＳ１０７肯定）、点灯制御部１７が、常夜灯１９ＡをＯＮにし、切替制御部１４が、蓄電池１３の充電をＯＮに制御する（ステップＳ１０８）。
【００５２】
また、判定部１４ａが系統電源から電源が供給されていないと判定した場合には（ステップＳ１０７否定）、点灯制御部１７は、自らの避難誘導灯１９Ｂが点灯対象であるか否かを判定する（ステップＳ１０９）。この結果、点灯制御部１７は、自らの避難誘導灯１９Ｂが点灯対象であると判定した場合には（ステップＳ１０９肯定）、常夜灯１９Ａおよび避難誘導灯１９ＢをＯＮにし、切替制御部１４は、蓄電池の充電をＯＦＦに制御する（ステップＳ１１０）。また、点灯制御部１７は、自らの避難誘導灯１９Ｂが点灯対象でないと判定した場合には（ステップＳ１０９否定）、常夜灯１９Ａおよび避難誘導灯１９ＢをＯＦＦにし、切替制御部１４は、蓄電池の放電をＯＮに制御する（ステップＳ１１１）。これで、照明制御処理が終了する。
【００５３】
［実施形態の効果］
このように、実施形態に係る照明システム１では、照明装置１０が、系統電源から供給される電力を監視し、系統電源からの電力供給があるか電力供給が途絶えたかを判定する。また、照明装置１０は、系統電源からの電力供給があると判定した場合には、系統電源からの電力を常夜灯１９Ａまたは避難誘導灯１９Ｂへ供給するとともに、電源接続スイッチ１４ｃを介して系統電源と接続された蓄電池１３へも電力を供給して該蓄電池１３の充電を行い、系統電源からの電力供給が途絶えたと判定した場合には、電源接続スイッチ１４ｃを解除して蓄電池１３と系統電源とを分離し、蓄電池１３から常夜灯１９Ａまたは避難誘導灯１９Ｂへ電力を供給する。このため、災害時や停電時に系統電源からの電力供給が途絶えたとしても、照明装置１０としての機能を維持し、夜間であっても充分な照度で道路を安全に照らすことができる。
【００５４】
また、実施形態に係る照明システム１では、照明装置１０が、系統電源からの電力供給があると判定した場合には、避難誘導灯スイッチ１７ｂを解除して避難誘導灯１９Ｂを消灯し、系統電源からの電力供給が途絶えたと判定した場合には、避難誘導灯スイッチ１７ｂと蓄電池１３とを接続して、避難誘導灯１９Ｂを点灯するように制御する。このため、地域の避難場所への経路となっている照明装置１０は、避難経路であることを示す避難誘導灯１９Ｂを点灯して避難場所への避難経路を示すことで、速やかな避難を行うことができる。
【００５５】
また、実施形態に係る照明システム１では、照明装置１０が、避難誘導灯１９Ｂを点灯するか否かの指示を管理装置２０から受信する。そして、照明装置１０は、系統電源からの電力供給が途絶えたと判定した際に、避難誘導灯１９Ｂを点灯する旨の指示が受信された場合には、避難誘導灯スイッチ１７ｂと蓄電池１３とを接続して、避難誘導灯１９Ｂを点灯するように制御し、避難誘導灯１９Ｂを点灯しない旨の指示が受信された場合には、避難誘導灯スイッチ１７ｂを解除して避難誘導灯１９Ｂを消灯するように制御する。例えば、震災があった場合に、周囲の被害状況などに応じて、避難先や避難経路が異なるため、照明装置１０は、上位の管理装置２０からの指示に従って、避難誘導灯１９Ｂの点灯または消灯を行うことができる。
【００５６】
また、実施形態に係る照明システム１では、照明装置１０が、系統電源からの電力供給が途絶えたと判定した際に、自らの避難誘導灯１９Ｂを点灯することを示す情報が予め設定されている場合には、避難誘導灯スイッチ１７ｂと蓄電池１３とを接続して、避難誘導灯１９Ｂを点灯するように制御し、自らの避難誘導灯１９Ｂを点灯しないことを示す情報が予め設定されている場合には、避難誘導灯スイッチ１７ｂを解除して避難誘導灯１９Ｂを消灯するように制御する。例えば、避難先や避難経路は自治体や市町村などにより事前に決められていることが多いので、照明装置１０は、事前に設定された情報を基に、避難誘導灯１９Ｂの点灯または消灯を行うことができる。
【００５７】
また、実施形態に係る照明システム１では、照明装置１０が、系統電源から電力の供給が途絶えたと判定した場合であって、且つ、常夜灯１９Ａおよび避難誘導灯１９Ｂを点灯しない場合には、蓄電池１３の電力を放電するように制御する。これにより、蓄電池に充電された電力を電力が不足している他の照明装置に対して供給することができる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１  照明システム
１０  照明装置
１１  通信部
１２  電源部
１３  蓄電池
１４  切替制御部
１５  交直変換部
１６  切替部
１７  点灯制御部
１８  昼夜判別部
１９Ａ  常夜灯
１９Ｂ  避難誘導灯
２０  管理装置
３０  ネットワーク
【図１】
2014130776.tif 000003
【図２】
2014130776.tif 000004
【図３】
2014130776.tif 000005
【図４】
2014130776.tif 000006
【図５】
2014130776.tif 000007
【図６】
2014130776.tif 000008
【図７】
2014130776.tif 000009